(57)【要約】    【課題】  オーバヘッドドアが用いられる建屋等で、オーバヘッドドアを設けることで屋内の空間をより有効に利用できる様にする。    【解決手段】  複数のパネル９を屈曲自在に連結してシャッタカーテン８を構成し、該シャッタカーテンをガイドレールに沿って昇降させ、開口部１を開閉するオーバヘッドドアに於いて、前記ガイドレールが少なくとも、垂直部３と水平部４とを有し、該水平部は屋外側に水平方向に延出している。    【選択図】          図１
2005256286.tif 000002
【特許請求の範囲】
【請求項１】
複数のパネルを屈曲自在に連結してシャッタカーテンを構成し、該シャッタカーテンをガイドレールに沿って昇降させ、開口部を開閉するオーバヘッドドアに於いて、前記ガイドレールが少なくとも、垂直部と水平部とを有し、該水平部は屋外側に水平方向に延出していることを特徴とするオーバヘッドドア。
【請求項２】
前記シャッタカーテンの所要位置のパネルの屋内側にパネル補強部材が設けられた請求項１のオーバヘッドドア。
【請求項３】
前記シャッタカーテンの屋内側に施錠装置が設けられ、該施錠装置は前記ガイドレール側に設けられたロック金具受けを有し、前記パネル補強部材は前記ロック金具受けと干渉しない様になっている請求項２のオーバヘッドドア。
【請求項４】
前記パネルを連結する連結手段は前記シャッタカーテンの屋外側に偏寄して設けられた請求項１のオーバヘッドドア。
【請求項５】
前記ガイドレールの水平部上側に施錠装置を通過可能とする空間が形成された請求項１のオーバヘッドドア。
【発明の詳細な説明】
【技術分野】
【０００１】
本発明は、所要数のパネルを屈曲自在に連結して構成されるシャッタカーテンを昇降させて建屋等の構築構造物の出入口等の開口部を開閉するオーバヘッドドアに関するものである。
【背景技術】
【０００２】
出入口等の開口部を開閉するシャッタ装置の１つとしてオーバヘッドドアがあり、該オーバヘッドドアは複数のパネルを屈曲可能に連結したシャッタカーテンを具備し、該シャッタカーテンをガイドレールに沿って昇降させる構成となっている。
【０００３】
オーバヘッドドアとしては例えば特許文献１に示されるものがある。図８によって、オーバヘッドドアの概略を説明する。
【０００４】
建屋等の開口部１の両側柱２の屋内側に垂直ガイドレール３が設けられ、又天井に沿って水平ガイドレール４が設けられ、前記垂直ガイドレール３と前記水平ガイドレール４とは湾曲レール５によって連結されている。前記垂直ガイドレール３の上方には水平な巻取シャフト６を具備する開閉装置７が設けられている。
【０００５】
前記垂直ガイドレール３、前記湾曲レール５、前記水平ガイドレール４に沿ってシャッタカーテン８がスライド可能となっており、該シャッタカーテン８は所要数のパネル９が屈曲自在に連結されて構成されている。
【０００６】
前記巻取シャフト６はブラケット１４により回転自在に支持され、図示しない開閉モータ等の駆動装置により回転される様になっている。前記巻取シャフト６の両端部にはドラム１１が設けられ、該ドラム１１に巻付けられたワイヤ１２が前記シャッタカーテン８の下端部に係着されている。又、前記巻取シャフト６にはバランススプリング１３が設けられ、該バランススプリング１３は前記ワイヤ１２を介して前記シャッタカーテン８を上昇方向に付勢している。
【０００７】
開口部１が開かれる場合は、前記シャッタカーテン８を引上げることで、前記バランススプリング１３により前記巻取シャフト６を介し前記ドラム１１が回転されることで前記ワイヤ１２が巻取られ、前記シャッタカーテン８が前記垂直ガイドレール３に沿って引上げられ、更に前記水平ガイドレール４に格納される様になっている。
【０００８】
又、開口部１が閉じられる場合は、前記シャッタカーテン８を引下ろすことで、該シャッタカーテン８が降下され、開口部が閉じられる。前記ドラム１１が逆方向に回転され、前記ワイヤ１２が繰出される。尚、シャッタカーテン８の重量は前記バランススプリング１３によりバランスされている。
【０００９】
上記した様に、従来のオーバヘッドドアでは前記シャッタカーテン８が前記水平ガイドレール４を介して屋内に格納される構造であり、建屋の天井近傍の空間がシャッタカーテン８を格納する為に使用される。
【００１０】
ところが、建屋が倉庫或は荷置場として使用される場合等は、天井一杯迄荷を積上げ、より多くの荷を収納したいという要望があり、従来のオーバヘッドドアでは荷の収納に制限が発生する。
【００１１】
【特許文献１】実開平７−２６５８７号公報
【発明の開示】
【発明が解決しようとする課題】
【００１２】
本発明は斯かる実情に鑑み、オーバヘッドドアが用いられる建屋等で、オーバヘッドドアを設けることで屋内の空間をより有効に利用できる様にしたものである。
【課題を解決するための手段】
【００１３】
本発明は、複数のパネルを屈曲自在に連結してシャッタカーテンを構成し、該シャッタカーテンをガイドレールに沿って昇降させ、開口部を開閉するオーバヘッドドアに於いて、前記ガイドレールが少なくとも、垂直部と水平部とを有し、該水平部は屋外側に水平方向に延出しているオーバヘッドドアに係り、又前記シャッタカーテンの所要位置のパネルの屋内側にパネル補強部材が設けられたオーバヘッドドアに係り、又前記シャッタカーテンの屋内側に施錠装置が設けられ、該施錠装置は前記ガイドレール側に設けられたロック金具受けを有し、前記パネル補強部材は前記ロック金具受けと干渉しない様になっているオーバヘッドドアに係り、又前記パネルを連結する連結手段は前記シャッタカーテンの屋外側に偏寄して設けられたオーバヘッドドアに係り、更に又前記ガイドレールの水平部上側に施錠装置を通過可能とする空間が形成されたオーバヘッドドアに係るものである。
【発明の効果】
【００１４】
本発明によれば、複数のパネルを屈曲自在に連結してシャッタカーテンを構成し、該シャッタカーテンをガイドレールに沿って昇降させ、開口部を開閉するオーバヘッドドアに於いて、前記ガイドレールが少なくとも、垂直部と水平部とを有し、該水平部は屋外側に水平方向に延出しているので、前記ガイドレールが屋外側に設けられ、又開口部の開放時にシャッタカーテンが屋外に格納されるので、屋内側の空間を無駄なく有効に活用できるという優れた効果を発揮する。
【発明を実施するための最良の形態】
【００１５】
以下、図面を参照しつつ本発明を実施する為の最良の形態を説明する。
【００１６】
図１〜図７は本発明に係るオーバヘッドドアを示しており、図１〜図７中、図８中で示したものと同等のものには同符号を付してある。
【００１７】
建屋１６等躯体の正面壁１７に開口部１が設けられ、該開口部１の上方に建屋の一部、例えば庇１８が水平に延出しており、該庇１８の下面にはＨ鋼等の構造部材である水平ビーム１９が前記開口部１の開口幅と同等の間隔で２本水平方向に突出して設けられている。
【００１８】
尚、以下の説明に於いて、屋内側とはシャッタカーテンを境として施錠装置２６（後述）が設けられている側、屋外側とは施錠装置が設けられていない側、又施錠装置がシャッタカーテンの両側に跨って存在する場合には構成部材や露出部が少ない側を示すものとする。
【００１９】
該開口部１の両側、前記正面壁１７の屋外側に２本の側柱２が設けられ、それぞれの側柱２に垂直ガイドレール３が取付けられ、前記水平ビーム１９にそれぞれ水平ガイドレール４が支持部材２１を介して取付けられ、前記水平ガイドレール４と前記垂直ガイドレール３間は湾曲レール５によって滑らかに連結されている。
【００２０】
パネル９が屋外側に取付けられた蝶番２２によって所要数連結されシャッタカーテン８が構成され、各前記パネル９の両端部にはガイドローラ２３が回転自在に設けられ、該ガイドローラ２３は前記垂直ガイドレール３、湾曲レール５、水平ガイドレール４に回転自在に嵌合する。而して、前記シャッタカーテン８は前記ガイドローラ２３を介して前記垂直ガイドレール３、前記湾曲レール５、前記水平ガイドレール４に沿って昇降可能であり、該水平ガイドレール４に格納される様になっている。尚、パネル９同士は蝶番２２に限らず、ピン等の連結手段によって直接連結してもよい。更に、カール部等により係合（や嵌合）して回動する様なものでは、連結手段は屋外側に偏寄しているものでもよい。
【００２１】
前記正面壁１７と前記庇１８とが成す角部には開閉装置７が設けられ、該開閉装置７のドラム１１から繰出されたロープ（図示せず）が前記シャッタカーテン８の下端部に係着され、前記ロープを介してシャッタカーテン８がバランススプリング（図示せず）により上方に付勢される。前記シャッタカーテン８の重量がバランススプリングによりバランスされているので、軽微な力で前記シャッタカーテン８が開閉される。
【００２２】
該シャッタカーテン８の最下段のパネル９或は最上段のパネル９或は所要位置のパネル９の屋内面に、風圧等外力によりシャッタカーテン８が撓まない様に、パネル補強部材２４を幅方向に取付けられる。尚、図３中、前記側柱２にはシール材２０が設けられ、該シール材２０は前記シャッタカーテン８の端部に摺接し、閉鎖状態で該シャッタカーテン８の両端部をシールする。又、図４中、最下段のパネル９下端には、水切り用のシール部材２５が設けられている。
【００２３】
尚、前記パネル補強部材２４は前記シール材２０と干渉しない長さとなっており、又前記シャッタカーテン８の閉鎖時に、ロック金具受け３５（後述）より下方の位置に設けられるパネル補強部材２４については、端部を短くする或は適宜切欠等して前記ロック金具受け３５と干渉しない様になっている。
【００２４】
前記側柱２は、前記シャッタカーテン８が昇降動する場合に、前記パネル補強部材２４が前記正面壁１７と干渉しない様にシャッタカーテン８と前記正面壁１７屋外面との間に空間を形成している。又、前記支持部材２１は、前記パネル補強部材２４が前記庇１８と干渉しない様に前記水平ガイドレール４と前記庇１８下面との間に空間を形成している。図１中、２点差線は前記パネル補強部材２４が移動する軌跡を示している。
【００２５】
前記シャッタカーテン８の屋内面の適宜な位置、例えば下から２段目のパネル９に施錠装置２６が設けられる。
【００２６】
該施錠装置２６は、前記パネル９の中央に設けられた解錠ハンドル２７とパネル９の両端部に設けられたロック部２８とを有し、前記解錠ハンドル２７と前記ロック部２８とはワイヤ２９により連結され、前記解錠ハンドル２７を所要角度回転することで前記ロック部２８を解錠することができる様になっている。
【００２７】
以下、ロック部２８について説明する。
【００２８】
パネル９の幅端部に固着されたブラケット３１に垂直軸３２を介してロック金具３３が回転自在に設けられる。該ロック金具３３は前記パネル９と平行に延出する係合舌片３４を有し、該係合舌片３４は前記側柱２に固着されたロック金具受け３５（後述）に係合可能である。前記垂直軸３２にはスプリング３６が嵌装され、該スプリング３６は前記ロック金具３３を前記ロック金具受け３５に係合する方向に付勢する。
【００２９】
前記ロック金具受け３５には前記係合舌片３４が係合する凹部３７が形成され、該凹部３７には前記係合舌片３４が嵌脱可能となっており、前記ロック金具受け３５の取付け位置は前記シャッタカーテン８の閉鎖した状態で、前記ブラケット３１と対峙している。
【００３０】
前記ワイヤ２９の一端はフック３８を介して前記ロック金具３３に係着されている。前記解錠ハンドル２７は、前記パネル９に回転自在に取付けられ、前記解錠ハンドル２７にはリンクプレート３９が固着され、該リンクプレート３９に前記ワイヤ２９の他端が係着されている。
【００３１】
前記シャッタカーテン８の閉鎖状態では、前記係合舌片３４が前記凹部３７に係合しており、シャッタカーテン８は施錠状態となっている。
【００３２】
該シャッタカーテン８を開く場合は、屋内側から前記解錠ハンドル２７を回転させて解錠させる。該解錠ハンドル２７の回転により、前記リンクプレート３９を介して前記ワイヤ２９がシャッタカーテン８の中心側に引張られ、前記ロック金具３３は図７中反時計方向に回転し、前記係合舌片３４が前記ロック金具受け３５より離脱し、前記シャッタカーテン８は上昇可能となる。
【００３３】
該シャッタカーテン８を上方に引上げることで、該シャッタカーテン８は前記垂直ガイドレール３、湾曲レール５、水平ガイドレール４に沿って上昇し、前記シャッタカーテン８が前記水平ガイドレール４に格納された状態で前記開口部１が完全に開放される。前記シャッタカーテン８の上昇動で、前記パネル補強部材２４、前記解錠ハンドル２７、前記ロック部２８、前記ワイヤ２９も一体に上昇するが、前記シャッタカーテン８と前記正面壁１７、及び前記庇１８とは前記側柱２及び前記支持部材２１により前記正面壁１７の屋外面側及び前記水平ガイドレール４の上側に空間を形成し、前記パネル補強部材２４、前記解錠ハンドル２７、前記ロック部２８、前記ワイヤ２９が前記正面壁１７、前記庇１８と干渉しない様にしている。
【００３４】
前記シャッタカーテン８は屋外の庇１８の下面に収納され、シャッタカーテン８の格納に前記建屋１６内部の空間が使用されないので、該建屋１６内部の空間は無駄なく利用することができる。又、前記シャッタカーテン８の格納状態では、該シャッタカーテン８の屋外面が下向きで露出しているので、前記庇１８の下方からの美観を向上させる。
【００３５】
又、前記シャッタカーテン８で前記開口部１を閉鎖する場合は、前記シャッタカーテン８を引下げることで、前記水平ガイドレール４、湾曲レール５、垂直ガイドレール３に沿って前記シャッタカーテン８が下降し、前記開口部１が閉鎖される。
【００３６】
尚、前記シャッタカーテン８を閉鎖する場合に、該シャッタカーテン８が降下すると、前記係合舌片３４は前記ロック金具受け３５に乗上げ、シャッタカーテン８の閉鎖位置で前記スプリング３６の復元力により前記凹部３７に係合し、シャッタカーテン８は施錠される。
【００３７】
又、前記解錠ハンドル２７に対応するシャッタカーテン８の屋外側にシリンダ錠等を設け、屋外側から前記ロック部２８を解錠可能としてもよい。
【００３８】
上記実施の形態では、前記水平ガイドレール４を支持する建屋側支持部として、庇１８、水平ビーム１９を利用したが、該水平ビーム１９に充分な強度があれば、該水平ビーム１９に単体で支持させてもよく、或は該水平ビーム１９を省略して、前記水平ガイドレール４を直接庇１８に支持させてもよい。更に、前記水平ガイドレールが充分な強度を有している場合は水平ガイドレールの支持を省略してもよい。
【００３９】
尚、前記シャッタカーテン８は手動で開閉する様にしたが、前記巻取シャフト６をモータで回転する様にして、自動により前記シャッタカーテン８を開閉する様にしてもよい。
【００４０】
又、本発明は、垂直ガイドレール３を建屋内に設け、水平ガイドレール４の一部が建屋外に露出する様に設けることも可能である。
【図面の簡単な説明】
【００４１】
【図１】本発明の実施の形態を示す側面図である。
【図２】本発明の実施の形態を示す平面図である。
【図３】該実施の形態のガイドレール部の断面図である。
【図４】該実施の形態のシャッタカーテン下端部の部分図である。
【図５】該実施の形態のシャッタカーテンの屋内側の部分斜視図である。
【図６】該実施の形態の施錠装置の正面図である。
【図７】該実施の形態の施錠装置の平面図である。
【図８】従来例の斜視図である。
【符号の説明】
【００４２】
２              側柱
３              垂直ガイドレール
４              水平ガイドレール
５              湾曲レール
６              巻取シャフト
７              開閉装置
１７            正面壁
１８            庇
１９            水平ビーム
２１            支持部材
２６            施錠装置
【図１】
2005256286.tif 000003
【図２】
2005256286.tif 000004
【図３】
2005256286.tif 000005
【図４】
2005256286.tif 000006
【図５】
2005256286.tif 000007
【図６】
2005256286.tif 000008
【図７】
2005256286.tif 000009
【図８】
2005256286.tif 000010